(57)【要約】【課題】ランプ筐体の歪みやＬＥＤモジュールの脱落を抑制する照明用光源及び照明装置を提供する。【解決手段】直管形ＬＥＤランプ１は、直管形の筐体２０と、筐体２０内に配置され、表面にＬＥＤ１００が配置された長尺状の基板１２０とを備え、筐体２０の内壁と基板１２０の裏面とは、接着剤３０により断続的に接着されている。【選択図】図３
2015035285.tif 000002
【特許請求の範囲】
【請求項１】
直管形の筐体と、
前記筐体内に配置され、表面に発光素子が配置された長尺状の基板とを備え、
前記筐体の内壁と前記基板の裏面とは、接着剤により断続的に接着されている
照明用光源。
【請求項２】
前記筐体の内壁と前記基板の裏面との間であって前記接着剤が形成されている接着領域の間には、前記接着剤が形成されていない空間領域が少なくとも１つ存在する
請求項１に記載の照明用光源。
【請求項３】
前記空間領域は、前記基板の長手方向において、前記接着領域に挟まれている
請求項２に記載の照明用光源。
【請求項４】
前記空間領域は、前記長手方向において、前記接着領域の間に等ピッチで複数存在する
請求項３に記載の照明用光源。
【請求項５】
前記接着領域と前記空間領域とが繰り返されるピッチと前記接着領域あたりの前記接着剤の重量とは、前記基板と前記接着剤との接着部における剪断強度が１．０ＭＰａ以上となるよう設定されている
請求項２〜４のいずれかに記載の照明用光源。
【請求項６】
前記発光素子が複数配置された長手方向の中央部において、前記接着剤が接着された前記基板の裏面領域と対向する前記基板の表面領域には、前記発光素子が配置されている
請求項１〜５のいずれか１項に記載の照明用光源。
【請求項７】
外部からの電力を前記発光素子に供給する電力へと変換する回路部品が配置された長手方向端部において、前記回路部品が配置された前記基板の表面領域と対向する前記基板の裏面領域には、前記接着剤が配置されている
請求項６に記載の照明用光源。
【請求項８】
前記筐体は、ガラスを主材料として含み、
前記基板は、樹脂を主材料として含み、
前記接着剤は、シリコン系接着剤である
請求項１〜７のいずれか１項に記載の照明用光源。
【請求項９】
前記基板の厚みは、１．６ｍｍ以上である
請求項１〜８のいずれか１項に記載の照明用光源。
【請求項１０】
前記発光素子は、発光時のジャンクション温度が８０℃以下である
請求項１〜９のいずれか１項に記載の照明用光源。
【請求項１１】
請求項１〜１０のいずれか１項に記載の照明用光源を備える
照明装置。
【発明の詳細な説明】
【技術分野】
【０００１】
本発明は、照明用光源及び照明装置に関し、特に、発光ダイオード（ＬＥＤ：Ｌｉｇｈｔ  Ｅｍｉｔｔｉｎｇ  Ｄｉｏｄｅ）等の発光素子を有する直管形ランプ及びこれを備えた照明装置に関する。
【背景技術】
【０００２】
ＬＥＤは、高効率及び長寿命であることから、従来から知られる蛍光灯や白熱電球等の各種ランプにおける新しい光源として期待されており、ＬＥＤを用いたランプ（ＬＥＤランプ）の研究開発が進められている。
【０００３】
ＬＥＤランプとしては、両端部に電極コイルを有する直管形蛍光灯に代替する直管形のＬＥＤランプ（直管形ＬＥＤランプ）、あるいは、ガラスバルブの両端部に電極コイルを有する発光管を備えた電球形蛍光灯及びフィラメントコイルを用いた白熱電球に代替する電球形のＬＥＤランプ（電球形ＬＥＤランプ）等がある。例えば、特許文献１には、従来に係る直管形ＬＥＤランプが開示されている。
【先行技術文献】
【特許文献】
【０００４】
【特許文献１】特開２００９−０４３４４７号公報
【発明の概要】
【発明が解決しようとする課題】
【０００５】
直管形ＬＥＤランプについては、例えば、図６Ａ及び図６Ｂに示すような直管形ＬＥＤランプが提案されている。図６Ａは、従来の直管形ＬＥＤランプの一例を示す断面図である。図６Ｂは、図６ＡのＡ−Ａ’線に沿って切断した直管形ＬＥＤランプの断面図である。
【０００６】
図６Ａ及び図６Ｂに示すような直管形ＬＥＤランプ５００は、長尺状のＬＥＤモジュール５１０と、複数のＬＥＤモジュールが内部配置された長尺状のガラス管からなる筐体５２０と、筐体５２０の両端に設けられた一対の口金５３０及び５４０と、ＬＥＤモジュール５１０が載置されるアルミニウム板からなる基台５５０とを備える。ＬＥＤモジュール５１０は、セラミックスからなる長尺状の基板５１１と、基板５１１上に実装された複数個のＬＥＤ５１２と、複数個のＬＥＤ５１２を一括封止する封止部材５１３とによって構成されている。
【０００７】
このような直管形ＬＥＤランプ５００において、基台５５０は、接着剤５６０によって筐体５２０の内面に固着されている。具体的には、図６Ａ及び図６Ｂに示すように、円筒面である筐体５２０の内面と、当該筐体５２０の内面と略同形状の円筒面である基台５５０の裏面とが、基台５５０の裏面全面に塗布されたシリコン樹脂からなる接着剤５６０によって固着されている。
【０００８】
しかしながら、このように構成された直管形ＬＥＤランプ５００では、長尺状の筐体５２０全体が反ってしまい、ランプ形状に歪みが生じるという問題がある。例えば、筐体５２０の中央部が浮き上がるようにして全体が反ってしまったり、筐体５２０の両端部が上方に反ってしまったりして、筐体５２０がたわんでしまうことがある。筐体５２０に歪みが生じると、ランプにおける光配向性が低下したりランプを照明器具に装着できなくなったりするという問題がある。
【０００９】
さらに、直管形ＬＥＤランプが照明器具に装着された場合、ＬＥＤモジュール５１０は、筐体５２０上部内面に接着されているが、接着力の低下およびＬＥＤモジュール５１０の自重により、ＬＥＤモジュール５１０が筐体５２０から外れてしまうという問題もある。この観点から、ＬＥＤモジュールは軽量化されていることが望ましい。
【００１０】
本発明は、このような問題を解決するためになされたものであり、ランプ筐体の歪みやＬＥＤモジュールの脱落を抑制する照明用光源及び照明装置を提供することを目的とする。
【課題を解決するための手段】
【００１１】
上記目的を達成するために、本発明に係る照明用光源の一態様は、直管形の筐体と、前記筐体内に配置され、表面に発光素子が配置された長尺状の基板とを備え、前記筐体の内壁と前記基板の裏面とは、接着剤により断続的に接着されていることを特徴とする。
【００１２】
また、本発明に係る照明用光源の一態様において、前記筐体の内壁と前記基板の裏面との間であって前記接着剤が形成されている接着領域の間には、前記接着剤が形成されていない空間領域が少なくとも１つ存在するとしてもよい。
【００１３】
また、本発明に係る照明用光源の一態様において、前記空間領域は、前記基板の長手方向において、前記接着領域に挟まれているとしてもよい。
【００１４】
また、本発明に係る照明用光源の一態様において、前記空間領域は、前記長手方向において、前記接着領域の間に等ピッチで複数存在するとしてもよい。
【００１５】
また、本発明に係る照明用光源の一態様において、前記接着領域と前記空間領域とが繰り返されるピッチと前記接着領域あたりの前記接着剤の重量とは、前記基板と前記接着剤との接着部における剪断強度が１．０ＭＰａ以上となるよう設定されているとしてもよい。
【００１６】
また、本発明に係る照明用光源の一態様において、前記発光素子が複数配置された長手方向の中央部において、前記接着剤が接着された前記基板の裏面領域と対向する前記基板の表面領域には、前記発光素子が配置されているとしてもよい。
【００１７】
また、本発明に係る照明用光源の一態様において、外部からの電力を前記発光素子に供給する電力へと変換する回路部品が配置された長手方向端部において、前記回路部品が配置された前記基板の表面領域と対向する前記基板の裏面領域には、前記接着剤が配置されているとしてもよい。
【００１８】
また、本発明に係る照明用光源の一態様において、前記筐体は、ガラスを主材料として含み、前記基板は、樹脂を主材料として含み、前記接着剤は、シリコン系接着剤であるとしてもよい。
【００１９】
また、本発明に係る照明用光源の一態様において、前記基板の厚みは、１．６ｍｍ以上であるとしてもよい。
【００２０】
また、本発明に係る照明用光源の一態様において、前記発光素子は、発光時のジャンクション温度が８０℃以下であるとしてもよい。
【００２１】
また、本発明に係る照明装置の一態様は、上記記載の照明用光源のいずれかを備えることを特徴とする。
【発明の効果】
【００２２】
本発明によれば、筐体と基板とが、互いに対向する面において全面ではなく断続的に接着されているので、筐体の長手方向にかかる応力を分散できる。また、ヒートシンクなどを介さず、基板と筐体とが直接接着されているので、軽量化が図られる。よって、筐体の歪みや基板の脱落を抑制することが可能となる。
【図面の簡単な説明】
【００２３】
【図１】本発明に係る直管形ＬＥＤランプの概観斜視図。
【図２】実施の形態１に係る直管形ＬＥＤランプ１の管軸方向を法線とする断面図。
【図３】本発明の実施の形態１に係る直管形ＬＥＤランプの管軸方向に平行な断面図。
【図４】実施の形態１の変形例に係るＬＥＤモジュールの管軸方向を法線とする断面図。
【図５】実施の形態２に係る照明装置の概観斜視図。
【図６Ａ】従来の直管形ＬＥＤランプの一例を示す断面図。
【図６Ｂ】図６ＡのＡ−Ａ’線に沿って切断した直管形ＬＥＤランプの断面図。
【発明を実施するための形態】
【００２４】
（本発明の基礎となった知見）
本発明者は、「背景技術」の欄において記載した従来のＬＥＤランプに関し、以下の問題が生じることを見出した。
【００２５】
特許文献１に記載されたＬＥＤランプのように、ＬＥＤ基板として樹脂基板を用いると、長尺状の筐体５２０全体が反ってしまい、ランプ形状に歪みが生じるという問題がある。さらに、図６Ａに記載された従来の直管形ＬＥＤランプが照明器具に装着された場合、ＬＥＤモジュール５１０は、筐体５２０上部内面に接着されているが、接着力の低下およびＬＥＤモジュール５１０の自重により、ＬＥＤモジュール５１０が筐体５２０から外れてしまうという問題がある。
【００２６】
この観点から、ＬＥＤモジュールは軽量化されていることが望ましい。しかしながら、軽量化を優先して、例えば、特許文献１のように樹脂基板を用いる場合、筐体と基板との線膨張係数の差により筐体長手方向に応力が発生する。これにより、筐体から基板が剥がれる、または、筐体に歪みや反りが発生する。本発明者は、軽量化を実現し、かつ、基板の脱落ならびに筐体の歪み及び反りを解消するため、筐体内面の接着面に接着剤を全面塗布するのではなく、断続的に塗布することを見いだした。
【００２７】
さらに、特許文献１に記載されたＬＥＤランプでは、ＬＥＤ発光時の熱を放熱するため基台５５０が用いられている。しかしながら、本発明者は、通常使用時の発生熱量を考慮すれば、ＬＥＤのジャンクション温度を所定値以下に規定し、ＬＥＤが配置される基板の厚みを所定値以上に規定すれば、放熱機能を兼用する基台５５０は必須の構成要素ではないことを見いだした。さらに、基台５５０が配置されていない構成の方が、光束が向上することを見いだした。
【００２８】
以上の観点から、本発明の一態様に係る照明用光源は、直管形の筐体と、当該筐体内に配置され、表面に発光素子が配置された長尺状の基板とを備え、筐体の内壁と基板の裏面とは、接着剤により断続的に接着されていることを特徴とする。
【００２９】
本態様によれば、筐体と基板とが、互いに対向する面において全面ではなく断続的に接着されているので、筐体の長手方向にかかる応力を分散できる。また、ヒートシンクなどを介さず、基板と筐体とが直接接着されているので軽量化が図られる。よって、筐体の歪みや基板の脱落を抑制することが可能となる。
【００３０】
以下、本発明の実施の形態に係る照明用光源及び照明装置について、図面を参照しながら説明する。なお、以下に説明する実施の形態は、いずれも本発明の好ましい一具体例を示すものである。したがって、以下の実施の形態で示される数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００３１】
なお、各図は、模式図であり、必ずしも厳密に図示されたものではない。また、各図において、同じ構成部材については同じ符号を付している。
【００３２】
以下の実施の形態では、本発明の照明用光源の一態様である直管形ＬＥＤランプ及び当該直管形ＬＥＤランプを用いた照明装置について例示する。
【００３３】
（実施の形態１）
まず、本発明の実施の形態１に係る直管形ＬＥＤランプ１について説明する。なお、本実施の形態に係る直管形ＬＥＤランプ１は、従来の直管形蛍光灯に代替する照明用光源である。
【００３４】
［ランプの全体構成］
まず、本発明の実施の形態１に係る直管形ＬＥＤランプ１の構成について、図１を用いて説明する。
【００３５】
図１は、本発明に係る直管形ＬＥＤランプの概観斜視図である。直管形ＬＥＤランプ１は、図１に示すように、ＬＥＤモジュール１０と、ＬＥＤモジュール１０が内部配置された長尺状の筐体２０と、接着剤３０と、筐体２０の長手方向（管軸方向）の一方の端部に設けられた給電用口金（給電側口金）４０と、筐体２０の長手方向の他方の端部に設けられた非給電用口金（非給電側口金）５０と、点灯回路（図外）とを備えた照明用光源である。そして、直管形ＬＥＤランプ１では、給電用口金４０、非給電用口金５０及び筐体２０によって長尺状かつ円筒状のランプ筐体（外囲器）が構成されている。直管形ＬＥＤランプ１は、給電用口金４０及び非給電用口金５０が照明器具のソケットに取り付けられることで照明器具に支持される。直管形ＬＥＤランプ１は、例えば、４０形の直管形ＬＥＤランプであり、ランプ全長が約１２５０ｍｍである。
【００３６】
また、図示しないが、筐体２０内には、ＬＥＤモジュール１０に供給される電力を通すコネクタ及びＬＥＤモジュール１０を発光させるための点灯回路等が設けられている。また、本実施の形態における直管形ＬＥＤランプ１は、ＬＥＤモジュール１０に対して給電用口金４０のみから給電を行う片側給電方式を採用している。つまり、直管形ＬＥＤランプ１は、照明器具等からの電力を給電用口金４０のみから受電する。
【００３７】
以下、直管形ＬＥＤランプ１の各構成部材について図２及び図３を用いて詳述する。
【００３８】
図２は、実施の形態に係る直管形ＬＥＤランプ１の管軸方向を法線とする断面図である。また、図３は、本発明の実施の形態に係る直管形ＬＥＤランプの管軸方向に平行な断面図である。
【００３９】
［筐体］
筐体２０は、ＬＥＤモジュール１０を覆う透光性を有する長尺状の透光性カバーであって、図１に示すように、本実施形態では、両端部に開口を有する長尺筒体からなる直管状の外管である。筐体２０は、透明樹脂材料又はガラスによって構成することができる。
【００４０】
例えば、筐体２０としては、シリカ（ＳｉＯ２）が７０〜７２［％］のソーダ石灰ガラスを主成分としており、熱伝導率が約１．０［Ｗ／ｍ・Ｋ］のガラス管を用いることができる。また、上記ガラス管の長手方向の線膨張係数は、例えば、９×１０−６／Ｋ（９ｐｐｍ／Ｋ）である。また、筐体２０としては、例えば、アクリルまたはポリカーボネート等の樹脂材料から構成されたプラスチック管を用いることができる。
【００４１】
なお、筐体２０は、ＬＥＤモジュール１０からの光を拡散させるための光拡散機能を有する光拡散部を備えてもよい。これにより、ＬＥＤモジュール１０から発せられた光を、筐体２０を通過する際に拡散させることができる。光拡散部としては、例えば、筐体２０の内面及び外面の少なくともいずれかに形成された光拡散シート又は光拡散膜等がある。具体的には、シリカや炭酸カルシウム等の光拡散材（微粒子）を含有する樹脂や白色顔料を筐体２０の内面及び外面の少なくともいずれかに付着させて形成された乳白色の光拡散膜がある。その他の光拡散部としては、筐体２０の内部及び外部の少なくともいずれかに設けられたレンズ構造物、又は筐体２０の内面及び外面の少なくともいずれかに形成された凹部又は凸部がある。例えば、筐体２０の内面及び外面の少なくともいずれかにドットパターンを印刷したり、筐体２０の一部を加工したりすることで、筐体２０に光拡散機能（光拡散部）を持たせることもできる。また、筐体２０そのものを、光拡散材が分散された樹脂材料等を用いて成型することで、筐体２０に光拡散機能（光拡散部）を持たせることもできる。
【００４２】
［口金］
給電用口金４０は、ＬＥＤ１００に給電するための口金である。給電用口金４０は、ＬＥＤ１００を点灯させるための電力を直管形ＬＥＤランプ１の外部電源から受電する受電用口金でもある。
【００４３】
給電用口金４０は、図１及び図３に示されるように、筐体２０の長手方向における端部の一方を蓋する有底筒形状となっている。本実施の形態における給電用口金４０は、ポリブチレンテレフタレート（ＰＢＴ）等の合成樹脂からなる口金本体と、真ちゅう等の金属材料からなる一対の受電用接続端子である給電ピン４１とからなる。一対の給電ピン４１は、口金本体の底部から外方に向かって突出するように構成されている。給電ピン４１は、ＬＥＤ素子を点灯させるために給電を行うピンであって、照明器具等の外部機器から所定の電力を受ける受電ピンとして機能する。例えば、給電用口金４０を照明器具のソケットに装着させることによって、一対の給電ピン４１は照明器具に内蔵された電源装置から電力を受ける状態となる。また、給電ピン４１は、照明器具のソケットに着脱可能に取り付けるための接続端子としても機能している。
【００４４】
非給電用口金５０は、ＬＥＤモジュール１０の所定領域を、直管形ＬＥＤランプ１を照明器具に取り付ける機能を有する。
【００４５】
非給電用口金５０は、図１及び図３に示されるように、筐体２０の長手方向における端部の他方を蓋する有底筒形状となっている。本実施の形態における非給電用口金５０は、ＰＢＴ等の合成樹脂からなる口金本体と、真ちゅう等の金属材料からなる一本の非給電ピン５１とからなる。非給電ピン５１は、口金本体の底部から外方に向かって突出するように構成される。
【００４６】
なお、非給電用口金５０は、照明器具を介してＬＥＤモジュール１０の所定領域を接地（アース）してもよい。
【００４７】
［ＬＥＤモジュール］
ＬＥＤモジュール１０は、直管形ＬＥＤランプ１の光源モジュールであり、図２及び図３に示すように、筐体２０によって覆われる形で、筐体２０の内壁に接着剤３０を介して固定されている。ここで、図３に示すように、ＬＥＤモジュール１０を構成するＬＥＤが配置された基板１２０は、接着剤により断続的に筐体２０の内壁に固定されている。
【００４８】
ＬＥＤモジュール１０は、図３に示すように、筐体２０の管軸方向において長尺状であり、ＬＥＤチップが基板上に直接実装されたＣＯＢ型（Ｃｈｉｐ  Ｏｎ  Ｂｏａｒｄ）の発光モジュールであって、基板１２０と、複数のＬＥＤ（ＬＥＤチップ）１００と、ＬＥＤ１００を封止する封止部材１１０とを備える。また、基板１２０の長手方向端部には、外部電力を各ＬＥＤ１００に供給する電力へと変換するための回路部品１３２（コネクタを含む）と、回路部品１３２と各ＬＥＤ１００とを電気的に接続する金属配線（図示せず）とが設けられている。なお、回路部品１３２は、単に、外部電力を各ＬＥＤ１００に供給するためのコネクタであってもよい。
【００４９】
複数のＬＥＤ１００は、それぞれ発光素子の一例であって、基板１２０の長手方向中央部の表面に直接実装されている。複数のＬＥＤ１００は、基板１２０の長手方向に沿ってライン状（一直線状）に直列配置されている。
【００５０】
また、本実施の形態に係るＬＥＤモジュール１０は、図２に示すように、基板１２０上に実装されたＬＥＤ１００が、封止部材１１０によって一括封止された構造を有する。
【００５１】
本実施の形態では、青色光を出射するＬＥＤと、青色光を黄色光に波長変換する蛍光体粒子が混入された透光性材料で形成された封止体（封止部材１１０）とが採用されており、ＬＥＤから出射された青色光の一部が封止体によって黄色光に波長変換され、未変換の青色光と変換後の黄色光との混色により生成される白色光がＬＥＤモジュール１０から出射される。青色発光するＬＥＤチップとしては、例えば、ＩｎＧａＮ系の材料によって構成された、中心波長が４４０ｎｍ〜４７０ｎｍの窒化ガリウム系の半導体発光素子を用いることができる。
【００５２】
基板１２０は、少なくとも表面が絶縁性の材料により構成された、ＬＥＤ１００を実装するためのＬＥＤ実装用基板であって、例えば長尺矩形状の基板である。基板１２０としては、例えば、ガラスエポキシ基板（ＣＥＭ−３、ＦＲ−４等）、紙フェノールや紙エポキシからなる基板（ＦＲ−１等）、ポリイミド等から構成される可撓性を有するフレキシブル基板などの安価で軽量な樹脂を主成分として含むことが好ましい。例えば、ＣＥＭ−３の長手方向の線膨張係数は、２４×１０−６／Ｋ（２４ｐｐｍ／Ｋ）である。また、上記樹脂基板のほか、メタルベース基板を用いることも可能である。メタルベース基板としては、例えば、表面に絶縁膜が形成されたアルミニウム合金基板、鉄合金基板又は銅合金基板等を用いることができる。基板１２０の表面及び裏面は、平面視したとき、矩形状となっている。
【００５３】
基板１２０は、その長手方向（Ｙ軸方向）が直管状の筐体２０の長手方向と平行となり、その長手方向と直交する短手方向（Ｘ軸方向）が筐体２０の短手方向と平行となるように、筐体２０の内壁に配設される。
【００５４】
金属配線（図示せず）は、直列接続された複数のＬＥＤ１００の各々に対して所定の電力を供給するための電極配線である。なお、本実施の形態では、片側給電方式を採っているため、高電位側及び低電位側の金属配線は、いずれも給電用口金４０の方向へ延設されている。金属配線を構成する材料は、例えば、銅などの高伝導率を有する金属で構成されることが望ましく、その他、ニッケル、アルミニウム、金、または、それらのうちの２以上の金属からなる積層膜あるいは合金であってもよい。
【００５５】
［接着剤］
接着剤３０は、図２及び図３に示すように、筐体２０とＬＥＤモジュール１０とを接着し固定するために、筐体２０の内壁と基板１２０の裏面との間に断続的に配される。接着剤３０としては、放熱性の観点からは、熱伝導率が１［Ｗ／ｍ・Ｋ］以上の材料を用いることが好ましく、また、軽量化の観点からは、比重が２以下の接着材を用いることが好ましい。接着剤３０としては、例えば、シリコン樹脂又はセメント等からなる接着剤が用いられる。あるいは、接着剤３０として、基板１２０の裏面と筐体２０の内面とに密着可能な厚み及び形状を有する両面テープであってもよい。本実施の形態では、直管形ＬＥＤランプ１の軽量化を図るために、接着剤３０としてシリコン樹脂からなる接着剤を用いている。
【００５６】
また、接着剤３０の熱伝導率を高めるために、接着剤３０に無機粒子を適宜混入することが好ましい。無機粒子としては、銀、銅あるいはアルミニウム等の金属粒子、又はアルミナ、窒化アルミニウム、炭化珪素あるいはグラファイト等の非金属粒子が用いられる。
【００５７】
ここで、図３に示すように、筐体２０の内壁と基板１２０の裏面とは、接着剤３０により断続的に接着されている。上述したように、筐体２０としてガラス管を用いた場合の線膨張係数（９ｐｐｍ／Ｋ）と基板１２０としてＣＥＭ−３を用いた場合の線膨張係数（２４ｐｐｍ／Ｋ）とは異なる。しかしながら、図３に示されたように、筐体２０と基板１２０とが、互いに対向する面において、接着剤３０を介して、全面ではなく断続的に接着されているので、筐体２０の長手方向にかかる応力を分散できる。言い換えると、接着剤３０が断続的に接着されているので、筐体２０の長手方向の剪断応力を、基板１２０の法線方向（Ｚ方向）等に逃がすことが可能となる。
【００５８】
また、図３に示すように、ＬＥＤ１００が複数配置された長手方向の中央部において、接着剤３０が接着された基板１２０の裏面領域と対向する基板１２０の表面領域には、ＬＥＤ１００が配置されていることが好ましい。この構成により、発光時に発熱源となるＬＥＤ１００の発熱を、基板１２０及び接着剤３０を介し、最短距離で効率よく筐体２０及びその外部へ放出することが可能となる。
【００５９】
さらに、回路部品１３２が配置された長手方向端部において、回路部品１３２が配置された基板１２０の表面領域と対向する基板１２０の裏面領域には、接着剤３０が配置されていることが好ましい。この構成により、電力変換の際に発熱源となる回路部品１３２の発熱を、基板１２０の端部及び接着剤３０を介し、最短距離で効率よく筐体２０及びその外部へ放出することが可能となる。
【００６０】
また、ヒートシンクなどを介さずに基板１２０と筐体２０とが直接接着されているので、軽量化が図られる。よって、筐体２０の歪みや基板１２０を含むＬＥＤモジュール１０の脱落を抑制することが可能となる。
【００６１】
これに対して、筐体と基板とが、互いに対向する面において、接着剤３０を介して全面的に接着される場合、筐体と基板との線膨張係数の差に応じて筐体及び基板が反り、または、基板の剥がれが発生する。これは、以下の原理により説明できる。例えば、１３０℃以上で硬化されるシリコン樹脂からなる接着剤の場合、まず、当該硬化温度において、線膨張係数の大きい筐体または基板が相対的に長手方向に伸張する。その後、接着剤が硬化した状態で常温へ降下される際に、伸張した筐体または基板が長手方向に収縮される。この接着剤の硬化状態での筐体または基板の収縮動作により、筐体の長手方向に応力が発生し反りが発生する。さらに、接着剤と筐体または基板との間に亀裂が発生すると、当該亀裂が発生した箇所を起点として当該亀裂が成長し剥がれに至ってしまう。
【００６２】
これに対して、本実施の形態に係る接着剤の断続的な配置によれば、筐体の長手方向に発生する応力が分散されるので筐体の反りを抑制できる。さらに、上記亀裂がいずれかの箇所において発生したとしても、接着剤が分断されているので、当該亀裂が接着剤を介して成長することが抑制され、剥がれを防止できる。
【００６３】
また、本実施の形態では、筐体２０の内壁と基板１２０の裏面との間であって接着剤３０が形成されていない空間領域は、基板１２０の長手方向において、接着剤３０が形成されている接着領域の間に等ピッチで複数存在している。これにより、上記接合領域における応力集中が等方的に分散されるので、基板１２０の長手方向における応力を効果的に緩和できる。
【００６４】
ここで、接着剤３０の塗布重量と、互いに隣接する接着領域のピッチとは、基板１２０と接着剤３０との接着部における剪断強度が所定値以上となるように設定されている。例えば、本実施の形態に係る直管形ＬＥＤランプ１の構成において、上記剪断強度の所定値は、１．０ＭＰａであることが好ましい。上記剪断強度が１．０ＭＰａより小さくなると、基板１２０の剥がれが発生する恐れがある。
【００６５】
以下、上記塗布重量及び上記ピッチと、接着状態との関係について詳細に説明する。上記ピッチが大きくなるほど、基板１２０のＺ方向へのたわみが大きくなるので剪断応力を長手方向以外の方向へ逃がすことが可能となる。しかしその反面、基板１２０全体の剪断強度は低下し、また、たわみが大きくなり過ぎると基板１２０及び筐体２０の反りが顕著となる。一方、上記ピッチが小さくなるほど、たわみが小さくなるので剪断応力を長手方向以外に逃がすことが困難となる。しかしその反面、基板１２０全体の剪断強度は向上する。
【００６６】
また、上記塗布重量を小さくするほど上記剪断強度は低下する。一方、上記塗布重量を大きくするほどＬＥＤランプ自体が重量化してしまう。
【００６７】
上記観点から、上記塗布重量と上記ピッチとは、それぞれ、ＬＥＤランプの材料構成により、最適値が存在する。上記塗布重量と上記ピッチとを当該最適値に設定することにより、基板１２０及び筐体２０のＺ軸方向への反り、または、基板１２０の剥がれを防止できる。
【００６８】
本実施の形態に係る筐体２０及びＬＥＤモジュール１０において、上記ピッチは、例えば、６０ｍｍ（筐体２０の長さ１２００ｍｍ／接着剤配置点数２０）〜１２０ｍｍ（筐体２０の長さ１２００ｍｍ／接着剤配置点数１０）であることが好ましい。また、上記塗布重量は、例えば、８ｇ（／接着剤１点）であることが好ましい。
【００６９】
なお、上述した効果を奏すためには、筐体２０の内壁と基板１２０の裏面との間であって接着剤３０が形成されている接着領域の間に、接着剤３０が形成されていない空間領域が少なくとも１つ存在すればよい。上記空間領域の存在により、筐体２０の内壁と基板１２０の裏面との接合領域における応力集中を分散することが可能となる。
【００７０】
さらに、上記空間領域は、基板１２０の長手方向において、上記接着領域に挟まれていることが好ましい。これにより、基板１２０の長手方向における応力を効果的に緩和できる。
【００７１】
また、従来のＬＥＤランプでは、ＬＥＤが配置された基板と筐体との間に、放熱性を確保するための基台が配置されている。このため、従来のＬＥＤランプでは、上記基板の熱容量を大きくする必要がないので、基板の厚みを、典型的には１．０ｍｍ程度としている。また、上記ピッチ及び上記塗布重量の最適値は、基板１２０の厚みを１．０ｍｍとした場合のものである。
【００７２】
これに対し、本実施の形態では、基板１２０の厚みは、０．８ｍｍ、１．６ｍｍ、及び２．０ｍｍのいずれかであってもよい。特に、基板１２０の厚みを１．６ｍｍ以上とすることが、より好ましい。これにより、例えば、基板１２０としてＣＥＭ−３のような安価かつ軽量であるが放熱性に優れない樹脂基板（熱伝導率：約０．３Ｗ／ｍ・Ｋ）を用いた場合であっても、熱容量を確保できるので、基台を配置せずとも十分な放熱性を実現できる。
【００７３】
さらに、基台の配置を除外することにより、ＬＥＤモジュール１０が出力する光束が向上するという効果を奏する。なお、基台とは、ＬＥＤが基板に実装された後で当該基板と組み合わされるもの、または、ＬＥＤが実装された基板とは別に筐体に接合されるものと定義される。
【００７４】
さらに、本実施の形態に係る直管形ＬＥＤランプ１では、ＬＥＤ１００の発光時のジャンクション温度を８０℃以下で使用することが好ましい。この条件下において直管形ＬＥＤランプ１を動作させることにより、直管形ＬＥＤランプ１からの発熱を十分に抑制することが可能となる。
【００７５】
なお、本実施の形態に係るＬＥＤモジュール１０は、基台が排除され、ＬＥＤが配置された基板１２０と筐体２０とが接着剤３０を介して直接接着された構成をとっているが、基板１２０は、多層基板であってもよい。
【００７６】
図４は、実施の形態１の変形例に係るＬＥＤモジュールの管軸方向を法線とする断面図である。図４に示すように、本変形例に係るＬＥＤモジュール１１は、基板本体１２０Ａと、表面配線層１２０Ｂと、裏面導体層１２０Ｃと、ＬＥＤ１００と、封止部材１１０と、反射シート１４０とを備える。ＬＥＤ１００及び封止部材１１０は、実施の形態１に係るＬＥＤモジュール１０と同じ構成であるので説明を省略する。
【００７７】
基板本体１２０Ａと、表面配線層１２０Ｂと、裏面導体層１２０Ｃとは、ＬＥＤが配置される基板を構成しており、多層基板である。基板本体１２０Ａは、例えば、ガラスエポキシ基板（ＣＥＭ−３、ＦＲ−４等）、紙フェノールや紙エポキシからなる基板（ＦＲ−１等）、ポリイミド等から構成される可撓性を有するフレキシブル基板などの安価で軽量な樹脂を主成分とした部材である。表面配線層１２０Ｂ及び裏面導体層１２０Ｃは、例えば、銅などに代表される金属層である。表面配線層１２０Ｂには、ＬＥＤ１００と外部電源とを電気的に接続し、ＬＥＤ１００に電力を供給するための配線が形成されている。また、裏面導体層１２０Ｃは、例えば、ＬＥＤモジュール１１の基準電位を接地するための接地層として機能する。
【００７８】
反射シート１４０は、ＬＥＤ１００の光取り出し効率を向上させるために、ＬＥＤモジュール１１が発する光を一定の方向に反射するように構成されている。反射シート１４０は、電気絶縁性及び光反射性を有する材料によって構成されており、例えば、二軸延伸ポリエステル（ＰＥＴ）フィルム等からなる絶縁反射シートを加工することによって構成することができる。
【００７９】
上記多層基板の場合、表面配線層１２０Ｂ及び裏面導体層１２０Ｃは、基板本体１２０Ａに比べて十分薄いため、当該多層基板自体の線膨張係数は、基板本体１２０Ａの線膨張係数とほぼ等しくなる。従って、上記のような多層基板の構成であっても、筐体２０と裏面導体層１２０Ｃとが、互いに対向する面において、接着剤３０を介して、全面ではなく断続的に接着されることにより、筐体２０の長手方向にかかる応力を分散できる。また、ヒートシンクなどを介さずに多層基板と筐体２０とが直接接着されているので、軽量化が図られる。よって、筐体２０の歪みや多層基板を含むＬＥＤモジュール１１の脱落を抑制することが可能となる。
【００８０】
なお、裏面層と樹脂を主材料とする基板本体とを有する多層基板であって、裏面層の膜厚が基板本体の膜厚と同程度の場合、裏面層と筐体との線膨張係数の差が１０ｐｐｍ未満であることが好ましい。この場合には、基板本体が樹脂で構成されていることにより軽量化が図られ、さらに、基板本体と筐体との線膨張係数の差に比べて、裏面層と筐体との線膨張係数の差が小さいため、基板の長手方向の応力が緩和され、接着剤３０の塗布面積を大きくすることが可能となる。
【００８１】
（実施の形態２）
次に、本発明の実施の形態２に係る照明装置２について、図５を用いて説明する。
【００８２】
図５は、実施の形態２に係る照明装置の概観斜視図である。同図に示されるように、本実施の形態に係る照明装置２は、ベースライトであって、直管形ＬＥＤランプ１と照明器具２００とを備える。
【００８３】
直管形ＬＥＤランプ１は、実施の形態１に係る直管形ＬＥＤランプ１であって、照明装置２の照明用光源として用いられる。なお、本実施の形態では、２本の直管形ＬＥＤランプ１を用いている。
【００８４】
照明器具２００は、直管形ＬＥＤランプ１と電気的に接続され、かつ、当該直管形ＬＥＤランプ１を保持する一対のソケット２１０と、ソケット２１０が取り付けられる器具本体２２０とを備える。器具本体２２０は、例えばアルミ鋼板をプレス加工等することによって成型することができる。また、器具本体２２０の内面は、直管形ＬＥＤランプ１から発せられた光を所定方向（例えば、下方である）に反射させる反射面となっている。
【００８５】
このように構成される照明器具２００は、例えば天井等に固定具を介して装着される。なお、照明器具２００には、直管形ＬＥＤランプ１の点灯を制御するための回路等が内蔵されていてもよい。また、直管形ＬＥＤランプ１を覆うようにカバー部材が設けられていてもよい。
【００８６】
（その他）
以上、本発明に係る照明用光源及び照明装置について、上記実施の形態１及び２に基づいて説明したが、本発明は、上記の実施の形態１及び２に限定されるものではない。
【００８７】
なお、上記の実施の形態において、ＬＥＤモジュールとして、基板１２０上に複数のＬＥＤチップが直接実装され、複数のＬＥＤチップを蛍光体含有樹脂によって一括封止した構成であるＣＯＢ（Ｃｈｉｐ  Ｏｎ  Ｂｏａｒｄ）型のＬＥＤモジュールとしたが、これに限らない。パッケージ化されたＬＥＤ素子を用いたＳＭＤ（Ｓｕｒｆａｃｅ  Ｍｏｕｎｔ  Ｄｅｖｉｃｅ）型のＬＥＤモジュールとしても構わない。
【００８８】
また、例えば、上記の実施の形態では、給電用口金４０のみの片側から筐体２０内の全ＬＥＤに給電を行う片側給電方式を採用したが、両側の口金の両方とも受電ピンとするＧ１３口金及びＬ形口金（Ｌ字状に屈曲した平板状の受電ピンを持つ口金）等の両側給電方式としても構わない。この場合、一方側の受電ピンも他方側の受電ピンも１ピンとするような構成でも構わないし、一方側の受電ピンも他方側の受電ピンも一対の受電ピンとして両側から受電するような構成でも構わない。また、一対の受電ピンや非給電ピンは、棒状金属に限らず、平板金属等によって構成されても構わない。
【００８９】
上記給電方式の態様から、本発明に係る直管形ＬＥＤランプでは、例えば、以下のバリエーションが挙げられる。すなわち、一方側がＬ形口金及び他方側が非給電ピンを持つ口金で構成された片側給電方式、両側がＬ形口金で構成された両側給電方式、両側がＬ形口金で構成された片側給電方式、Ｇ１３口金で構成された両側給電方式、ならびに、Ｇ１３口金で構成された片側給電方式等である。
【００９０】
また、上記実施の形態に係る直管形ＬＥＤランプは、外部電源から直流電力を受電する方式であるが、電源回路（コンバータ回路）を内蔵することにより、外部電源から交流電力を受電する方式であってもよい。
【００９１】
また、上記の実施の形態において、ＬＥＤモジュール１０及び１１は、青色ＬＥＤチップと黄色蛍光体とによって白色光を放出するように構成したが、これに限られない。例えば、赤色蛍光体及び緑色蛍光体を含有する蛍光体含有樹脂を用いて、これと青色ＬＥＤチップと組み合わせることによりに白色光を放出するように構成しても構わない。また、青色以外の色を発光するＬＥＤチップを用いてもよく、例えば、青色ＬＥＤチップが放出する青色光よりも短波長である紫外光を放出する紫外ＬＥＤチップを用いて、主に紫外光により励起されて青色光、赤色光及び緑色光を放出する青色蛍光体粒子、緑色蛍光体粒子及び赤色蛍光体粒子とによって白色光を放出するように構成してもよい。
【００９２】
また、上記の実施の形態において、発光素子としてＬＥＤを例示したが、半導体レーザ等の半導体発光素子、有機ＥＬ（Ｅｌｅｃｔｒｏ  Ｌｕｍｉｎｅｓｃｅｎｃｅ）又は無機ＥＬ等の発光素子を用いてもよい。
【００９３】
その他、各実施の形態に対して当業者が思いつく各種変形を施して得られる形態や、本発明の趣旨を逸脱しない範囲で各実施の形態における構成要素および機能を任意に組み合わせることで実現される形態も本発明に含まれる。
【符号の説明】
【００９４】
１、５００    直管形ＬＥＤランプ（照明用光源）
２    照明装置
１０、１１、５１０    ＬＥＤモジュール
２０、５２０    筐体
３０、５６０    接着剤
４０    給電用口金
４１    給電ピン
５０    非給電用口金
５１    非給電ピン
１００    ＬＥＤ（発光素子）
１１０、５１３    封止部材
１２０、５１１    基板
１２０Ａ    基板本体
１２０Ｂ    表面配線層
１２０Ｃ    裏面導体層
１３２    回路部品
１４０    反射シート
２００    照明器具
２１０    ソケット
２２０    器具本体
５００    直管形ＬＥＤランプ
５１２    ＬＥＤ
５３０、５４０    口金
５５０    基台
【図１】
2015035285.tif 000003
【図２】
2015035285.tif 000004
【図３】
2015035285.tif 000005
【図４】
2015035285.tif 000006
【図５】
2015035285.tif 000007
【図６Ａ】
2015035285.tif 000008
【図６Ｂ】
2015035285.tif 000009